(57)【要約】      （修正有）【課題】座り部又は椅子の操作容易性や安全性を増加させ、着座又は横たわる際に、使用者に優れた快適性を付与でき、使用者により実際の情況や需要に応じて背もたれの傾斜角度を適宜に調整できると共に、使用者が椅子の倒れにより椅子を転げ落ちるなどのような予期しない危険の発生を防止することができる背もたれ調整装置、及び、その背もたれ調整装置を備えた椅子を提供する。【解決手段】第１枢接部品１３１と、第２枢接部品１３２と、第１枢接部品及び第２枢接部品を連結する枢動連結機構及び第１枢接部品及び第２枢接部品との相対角度を調整する調整機構と、略Ｕ型ロッド、二つの支持ロッド及び背もたれ調整装置を有する背もたれ支持フレームと、相互に対向に固接する二つの略Ｕ型支持フレームを有する座り部フレームとを備える。【選択図】図３
0003203669.tif 000002
【実用新案登録請求の範囲】
【請求項１】
第１枢接部品、第２枢接部品、枢動連結機構及び調整機構を備える椅子背もたれ調整装置であって、
前記枢動連結機構は前記第１枢接部品及び前記第２枢接部品を連結し、前記第１枢接部品と前記第２枢接部品との相対角度を調整する、ことを特徴とする背もたれ調整装置。
【請求項２】
前記調整機構は主動部材、被動部材及び連動部材を備えており、
前記主動部材の一端は、前記第２枢接部品を貫通するように設けられており、
前記被動部材の一端は、前記第１枢接部品及び前記第２枢接部品を貫通するように設けられており、両者の間の角度を固定する機能を有し、
前記該主動部材の他端及び前記被動部材の他端は前記連動部材に結合されている、ことを特徴とする請求項１に記載の背もたれ調整装置。
【請求項３】
前記主動部材は、押しボタン蓋、押しボタンロッド、押しボタンロッドスリーブ及びばねを備えており、
前記押しボタンロッドは、外環状部を備え、その一端が前記押しボタンロッドスリーブのホールを貫通して前記連動部材に結合され、他端が前記押しボタン蓋に結合され、前記一端は、前記ばねを貫通して前記押しボタンロッドスリーブの前記ホールを貫通し、前記外環状部により前記ばねを前記ホールに当り止めすると共に、前記連動部材の端面に結合され、
前記押しボタンロッドスリーブは、小径の外周部が前記第２枢接部品を貫通し、大径の外周部の端面が前記第２枢接部品の貫通する箇所の外縁に当接する、ことを特徴とする請求項２に記載の背もたれ調整装置。
【請求項４】
前記被動部材はラッチロッド及びラッチロッドスリーブを備えており、
前記ラッチロッドは一端が前記ラッチロッドスリーブのホールを貫通すると共に、前記連動部材に結合され、他端が前記第１枢接部品及び前記第２枢接部品を貫通し、
前記ラッチロッドスリーブは、前記第２枢接部品を貫通すると共に、前記第２枢接部品の端面に当接する、ことを特徴とする請求項３に記載の背もたれ調整装置。
【請求項５】
前記連動部材は連動部品であることを特徴とする請求項４に記載の背もたれ調整装置。
【請求項６】
前記枢動連結機構はラッチ及びラッチボルトを備えることを特徴とする請求項１乃至請求項５のいずれか１項に記載の背もたれ調整装置。
【請求項７】
前記枢動連結機構は枢動可能シャフト及びスチール薄片ばねを備えており、
前記枢動可能シャフトは、前記第１枢接部品を貫通すると共に、前記第１枢接部品と一緒に回転することができるように設けられており、また、前記第２枢接部品及び前記スチール薄片状ばねを貫通するように設けられている、ことを特徴とする請求項１乃至請求項５のいずれか１項に記載の背もたれ調整装置。
【請求項８】
前記枢動可能シャフトには挿入スロットが開設され、
前記スチール薄片ばねの一端は、前記挿入スロットに嵌め込まれ、前記枢動可能シャフトを固定する固定端である、ことを特徴とする請求項７に記載の背もたれ調整装置。
【請求項９】
前記枢動連結機構は、さらに前記第２枢接部品に固定設置されたレバーを備えており、
前記スチール薄片ばねの他端には、前記レバーを当り止めするための当り止め端を備える、ことを特徴とする請求項８に記載の背もたれ調整装置。
【請求項１０】
前記枢動可能シャフトは多角形構造を有し、
前記第１枢接部品には、前記枢動可能シャフトと前記第１枢接部品を一緒に回転させるように、前記多角形構造に対応して開設された多角形孔を有する、ことを特徴とする請求項７に記載の背もたれ調整装置。
【請求項１１】
前記第１枢接部品にはさらに傾斜角規制槽が設けられ、それにより、前記第１枢接部品と前記ラッチロッドが一緒に前記傾斜角規制槽に沿って回転する角度を制限すると共に、前記ラッチロッドが引き抜かれる際に、前記第１枢接部品の前記傾斜角規制槽及び前記第２枢接部品から一緒に引き抜かれる、ことを特徴とする請求項４に記載の背もたれ調整装置。
【請求項１２】
前記主動部材は押しボタン蓋であることを特徴とする請求項２に記載の背もたれ調整装置。
【請求項１３】
前記主動部材はさらに調整取り手及び連接部品を備えることを特徴とする請求項２に記載の背もたれ調整装置。
【請求項１４】
背もたれ支持フレームと、座り部フレームとを備える椅子であって、
前記背もたれ支持フレームは、略Ｕ型ロッド、二つの支持ロッド、及び請求項１乃至請求項１４のいずれか１項に記載の背もたれ調整装置を備えており、前記背もたれ調整装置は、前記略Ｕ型ロッドと前記支持ロッドとを連結すると共に、前記略Ｕ型ロッドと前記支持ロッドとの角度を調整することができ、
前記座り部フレームは、二つの略Ｕ型支持フレームを相互に対向するように固定接合されて構成され、前記略Ｕ型支持フレームの両端にはそれぞれ、前記支持ロッドを固接する支持台座が設けられている、ことを特徴とする椅子。
【考案の詳細な説明】
【技術分野】
【０００１】
本考案は椅子の背もたれ調整装置に関するものであり、特に、使用者により任意に操作されると共に、背もたれと座り部との相対角度を調整することが可能な背もたれ調整装置に関するものである。
【背景技術】
【０００２】
従来、包装容積を減少させたり、輸送コストを低減させたり、収納利便性を使用者に付与したりするために、椅子やシート製品には、図１Ａ及び図１Ｂに示すように、座り部と背もたれを折り畳むか水平に倒させる機構が設けられるのが一般的である。
【０００３】
そして、そのような従来から周知されているシート製品の設計によれば、当該背もたれの中央部位には、背もたれの上半部と背もたれの下半部とを約０〜９０度程度に自在に作動させることが可能な調節傾斜角機構が設置されてあるのが多い。
【０００４】
そのような様々なシート製品では、一つの背もたれに作動可能な部位が２箇所もあるため、使用者の誤操作により、作動可能な部位を誤動作させる問題点がしばしば引き起こされる。そのような不適切な使用による誤動作の程度が激しい場合、シート製品が損壊されたり、最悪の場合、使用者が転げ落ち、怪我や傷などの予期しない傷害を受けたりする事故が発生する虞がある。
【０００５】
従って、上記に述べたような各種の事故や問題点を改善できる背もたれ調整装置、それを含有する椅子及びシート製品を研究開発することが期待されている。
【考案の概要】
【考案が解決しようとする課題】
【０００６】
上記事情に鑑み、本考案は、上記従来の構造による問題点を解決するため、鋭意に検討し研究することにより完成されたものである。本考案は、使用者により背もたれの傾斜角度を任意に調整でき、実際の情況や需要に応じて折り畳むか又は水平にすることができる背もたれ調整装置を提供し、さらに、製造者、販売者やユーザーなどの使用者に対して、座り部または椅子に着座するか又は横たわる際に、優れた快適性、良好な角度調整容易性、高い収納利便性を付与できると共に、使用者が椅子の倒れにより椅子から転げ落ちるなどのような予期しない危険の発生を防止することができる、安全性の高い椅子及びシート製品を提供することを主要な目的とする。
【０００７】
上記目的を達成するために、本考案の一態様に係る背もたれ調整装置は、第１枢接部品、第２枢接部品、前記第１枢接部品及び前記第２枢接部品を連結する枢動連結機構、及び前記第１枢接部品と前記第２枢接部品との相対角度を調整する調整機構を備えることを特徴とする。
【０００８】
本考案の他の一態様に係る調整機構は、一端が第２枢接部品を貫通するように設置されている主動部材と、一端が第１枢接部品及び前記第２枢接部品を貫通するように設置されると共に両者の間の角度を固定する被動部材と、前記主動部材及び前記被動部材の他端に相互に連接する連動部材とを含むように構成され、この調整機構を押し付ければ、前記主動部材は前記連動部材と連動して移動し、それに伴って前記被動部材は同方向に移動され、それを貫通設置する前記第１枢接部品及び前記第２枢接部品が引き出され、前記第１枢接部品を前記枢動連結機構に対して回転させることにより、背もたれ支持フレームと座り部フレームとの相対角度を調整することができることを特徴とする。
【０００９】
本考案の更なる他の一態様に係る椅子、座り部、運動用シート製品又は子供・年少者用安全座席などのシート製品は、上述したような背もたれ調整装置を備えることを特徴とする。
【００１０】
以下に、本考案の特徴及び技術内容への理解をさらに促すため、添付図面を参照しつつ、本考案の好適な実施の形態を詳細に説明する。ただし、それらを説明する構成と図面の例示は、単に本考案を説明するための好適な実施形態に過ぎず、本考案の権利保護の範囲をそれらの構成のみに狭義的に制限するものではない。
【図面の簡単な説明】
【００１１】
【図１Ａ】図１Ａは背もたれが傾斜されている従来のソファを示す斜視図である。
【図１Ｂ】図１Ｂは背もたれが水平に倒されている従来のソファを示す斜視図である。
【図２Ａ】図２Ａは本考案に係る第１実施形態において、第１枢接部品と第２枢接部品の相対角度が１８０度であり、背もたれ支持フレームと支持ロッドとの相対角度が略９０度である組合せ例を示す斜視図である。
【図２Ｂ】図２Ｂは本考案に係る第１実施形態において、第１枢接部品と第２枢接部品の相対角度が略９０度であり、背もたれ支持フレームと支持ロッドとの相対角度が略９０度である組合せ例を示す斜視図である。
【図３】図３は本考案に係る第１実施形態において、第１枢接部品と第２枢接部品の相対角度が１８０度である組合せ例を示す側面斜視図である。
【図４】図４は本考案に係る第１実施形態の背もたれ調整装置の構成を示す分解斜視図である。
【図５Ａ】図５Ａは本考案に係る第１実施形態において、ラッチロッドが第２スルーホールと第３ホール部を貫通するように設置され、又、第１枢接部品と第２枢接部品の相対角度が１８０度である組合せを示す斜視図である。
【図５Ｂ】図５Ｂは本考案に係る第１実施形態において、ラッチロッドが第２スルーホール及び第３ホール部から引き抜かれ、又、第１枢接部品と第２枢接部品の相対角度が略９０度である組合せを示す斜視図である。
【図６】図６は本考案に係る第２実施形態において、第１枢接部品と第２枢接部品の相対角度が略９０度である組合せ例を示す斜視図である。
【図７】図７は本考案に係る第２実施形態の背もたれ調整装置の構成を示す分解斜視図である。
【図８Ａ】図８Ａは本考案に係る第２実施形態において、ラッチロッドが第１枢接部品の端面に当り止めされている例を示す斜視図である。
【図８Ｂ】図８Ｂは本考案に係る第２実施形態において、ラッチロッドが第２枢接部品の第３ホール部から引き抜かれている例を示す斜視図である。
【図９Ａ】図９Ａは本考案に係る第３実施形態において、背もたれが傾斜されている例を示す斜視図である。
【図９Ｂ】図９Ｂは本考案に係る第３実施形態において、背もたれが水平に倒されている例を示す斜視図である。
【考案を実施するための形態】
【００１２】
先ず、本考案に係る第１実施形態について、図２Ａ、図２Ｂ、図３、図４、図５Ａ及び図５Ｂを参照しつつ説明する。この第１実施形態において、本考案に係る背もたれ調整装置を備えた椅子は、主に背もたれ支持フレーム１０及び座り部フレーム２０で構成され、そのうち、背もたれ支持フレーム１０は略Ｕ型ロッド１１、二つの支持ロッド１２、及び背もたれ調整装置１３を備えている。背もたれ調整装置１３は略Ｕ型ロッド１１及び支持ロッド１２を結合すると共に、略Ｕ型ロッド１１と支持ロッド１２との角度を調整することができる。座り部フレーム２０は二つの略Ｕ型支持フレーム２１及び２２を互いに対向するように固定して構成され、略Ｕ型支持フレーム２１の両端にはそれぞれ支持ロッド１２を固定接合する支持台座２３が設けられている。背もたれ調整装置１３は第１枢接部品１３１、第２枢接部品１３２、枢動連結機構１３３及び調整機構１３４を備えている。図２Ａは、第１枢接部品１３１と第２枢接部品１３２の相対角度が１８０度であり、椅子として使用可能な状態を示している。また、図２Ｂは、第１枢接部品１３１と第２枢接部品１３２の相対角度が略９０度であり、座り部と背もたれを折り畳んだ状態を示している。
【００１３】
枢動連結機構１３３は第１枢接部品１３１と第２枢接部品１３２を回転自在に連結する。枢動連結機構１３３はラッチ１３３ａとラッチボルト１３３ｂを含むように構成されている。第２枢接部品１３２は、略Ｕ型断面を有しており、第１枢接部品１３１は第２枢接部品１３２の略Ｕ型断面部に嵌装されている。ラッチ１３３ａは、第１枢接部品１３１の第１スルーホール１３１１及び第２枢接部品１３２の第１ホール部１３２１を貫通し、ラッチボルト１３３ｂは、ラッチ１３３ａの軸方向に対して直交するように形成された穴に嵌入されることによりラッチ１３３ａに固定される。それにより、枢動連結機構１３３が、第１枢接部品１３１及び第２枢接部品１３２を連結すると共に、略Ｕ型ロッド１１及び二つの支持ロッド１２を連結することができる。
【００１４】
調整機構１３４は、第１枢接部品１３１との第２枢接部品１３２との相対角度を調整することができる。調整機構１３４は、主動部材１３４１、被動部材１３４２及び連動部材１３４３を含むように構成されている。主動部材１３４１の一端（図中左側）は、第２枢接部品１３２を貫通するように設置され、被動部材１３４２の一端（図中右側）は、第１枢接部品１３１及び第２枢接部品１３２を貫通するように設置されると共に、両者の間の角度を固定する。また、主動部材１３４１及び被動部材１３４２のそれぞれの他端は連動部材１３４３に結合されている。
【００１５】
主動部材１３４１は押しボタン蓋１３４１１、押しボタンロッド１３４１２、押しボタンロッドスリーブ１３４１３及びばね１３４１５を備えている。押しボタンロッド１３４１２は外環状部１３４１２ａを有し、且つ、その一端（図中左側）はばね１３４１５、第２枢接部品１３２の第２ホール部１３２２、及び押しボタンロッドスリーブ１３４１３のホール１３４１３ａを貫通するように設置され、連動部材１３４３の端面スルーホール１３４３１に嵌合されている。押しボタンロッド１３４１２の他端（図中右側）はスリーブ１３４１３を貫通すると共に、押しボタン蓋１３４１１に連結されている。それにより、外環状部１３４１２ａは、押しボタンロッドスリーブ１３４１３と一緒に、ばね１３４１５をホール１３４１３ａ内に当り止めさせることができる。また、図５Ａに示すように、押しボタンロッドスリーブ１３４１３の小径の外周部１３４１３ｂは、第２枢接部品１３２の第２ホール部１３２２を貫通し、大径の外周部１３４１３ｃの端面は第２枢接部品１３２の第２ホール部１３２２の外縁に当接して固定されている。
【００１６】
被動部材１３４２はラッチロッド１３４２１とラッチロッドスリーブ１３４２２を含むように構成されている。図４に示すように、ラッチロッド１３４２１は、一端（図中左側）がラッチロッドスリーブ１３４２２のホール１３４２２ａを貫通すると共に、連動部材１３４３のスルーホール１３４３２に嵌合固定されている。（図４は、一つの連動部材１３４３を例示する。）ラッチロッド１３４２１の他端（図中右側）は、第１枢接部品１３１の第２スルーホール１３１２、及び第２枢接部品１３２の第３ホール部１３２３を貫通する。さらに、図５Ｂに示すように、ラッチロッドスリーブ１３４２２は、第２枢接部品１３２の第３ホール部１３２３の端面に当接して固定されている。
【００１７】
図５Ａ及び図５Ｂに示すように、調整機構１３４の押しボタン蓋１３４１１を押し付けると、主動部材１３４１の押しボタンロッド１３４１２が図中左側に移動する。そして、ばね１３４１５は外環状部１３４１２ａ及び押しボタンロッドスリーブ１３４１３により圧縮され、連動部材１３４３は押しボタンロッド１３４１２と共に移動される。それにより、ラッチロッド１３４２１を同方向に移動させ、ラッチロッド１３４２１を、第１枢接部品１３１の第２スルーホール１３１２及び第２枢接部品１３２の第３ホール部１３２３からを引き抜くことができる。その状態で、使用者は、力を略Ｕ型ロッド１１に加えることにより、略Ｕ型ロッド１１と支持ロッド１２との相対角度を調整することができる。
【００１８】
図５Ａに示すように、第１枢接部品１３１及び第２枢接部品１３２（略Ｕ型ロッド１１及び二つの支持ロッド１２）を水平に横倒しにすることができる。押しボタン蓋１３４１１を押し付けると、ラッチロッド１３４２１は連動部材１３４３により連動され、第２スルーホール１３１２及び第３ホール部１３２３からラッチロッド１３４２１が引き抜かれる。引き続いて、使用者が、力を略Ｕ型ロッド１１に加えることにより、略Ｕ型ロッド１１と支持ロッド１２の相対角度を調整することができる。例えば、図５Ｂに示すように、略Ｕ型ロッド１１と支持ロッド１２との相対角度は、略９０度に調整されている。従って、このような本考案に係る椅子は安全性が非常に高いものなので、使用者がその椅子を使用する際に、単に押しボタン蓋１３４１１を押し付けるだけで、椅子を所望の形状、例えば、折り畳んだ状態又は平面状に拡げた状態にすることができる。そのため、本考案に係る背もたれ調整装置は、優れた安全性、良好な快適性、及び優良な箱詰め利便性を付与することが可能である。
【００１９】
次に、本考案に係る第２実施形態について、図２Ａ、図６、図７、図８Ａ、図８Ｂ、図９Ａ及び図９Ｂを参照しつつ説明する。この第２実施形態において、本考案に係る背もたれ調整装置を備えた椅子は、主に背もたれ支持フレーム１０及び座り部フレーム２０を含むように構成されている。背もたれ支持フレーム１０は、略Ｕ型ロッド１１、二つの支持ロッド１２及び背もたれ調整装置１３を備えている。背もたれ調整装置１３は、略Ｕ型ロッド１１及び支持ロッド１２を結合すると共に、略Ｕ型ロッド１１と支持ロッド１２との角度を調整することができる。座り部フレーム２０は二つの略Ｕ型支持フレーム２１及び２２を対向するように固定して構成され、略Ｕ型支持フレーム２１の両端にはそれぞれ支持ロッド１２を固定接合する支持台座２３が設けられている。背もたれ調整装置１３は第１枢接部品１３１、第２枢接部品１３２、枢動連結機構１３３及び調整機構１３４を備えている。第１枢接部品１３１には、上記第１実施形態における第２スルーホール１３１２の代わりに、傾斜角規制槽１３１３が設けられている。そして、傾斜角規制槽１３１３を設けることにより、第１枢接部品１３１とラッチロッド１３４２１とが協働して傾斜角規制槽１３１３に沿って回転する角度を規制することができる。また、ラッチロッド１３４２１を、第１枢接部品１３１の傾斜角規制槽１３１３と第２枢接部品１３２の第３ホール部１３２３から同時に引き抜くことができる。
【００２０】
枢動連結機構１３３は枢動可能シャフト１３３１、第１スチールスリーブ１３３２、スチール薄片ばね１３３３、第２スチールスリーブ１３３４及びレバー１３３５を備えている。枢動可能シャフト１３３１は、第１枢接部品１３１の第１スルーホール１３１１を貫通するように設置されると共に、その外周部に多角形構造１３３１ａ（図７では六角形構造を例示する）を備えている。第１枢接部品１３１の第１スルーホール１３１１は、それに対応して多角形孔（六角形孔を例示）に形成されている。それにより、第１枢接部品１３１と枢動可能シャフト１３３１が一緒に回転することが可能になる。なお、多角形構造１３３１ａと多角形孔１３１１は、幾何学的な形状が相応しいものであれば特に制限がなく、任意的な形状としても良い。枢動可能シャフト１３３１は、第２枢接部品１３２の第１ホール部１３２１、第１スチールスリーブ１３３２、スチール薄片ばね１３３３及び第２スチールスリーブ１３３４を貫通するように設けられている。枢動可能シャフト１３３１には挿入スロット１３３１ｂが設けられており、スチール薄片ばね１３３３の固定端１３３３１は、挿入スロット１３３１ｂにはみ込まれ、枢動可能シャフト１３３１とスチール薄片ばね１３３３を固定する。レバー１３３５は第２枢接部品１３２の第４ホール部１３２４に固設されている。なお、第４ホール部１３２４を設置することなく、レバー１３３５を直接に第２枢接部品１３２に固設しても良い。スチール薄片ばね１３３３の他端１３３３２は、レバー１３３５と当接する当り止め端である。従って、枢動可能シャフト１３３１は、第１枢接部品１３１の第１スルーホール１３１１、第２枢接部品１３２の第１ホール部１３２１、第１スチールスリーブ１３３２、スチール薄片ばね１３３３及び第２スチールスリーブ１３３４を貫通するように設けられており、第１枢接部品１３１と一緒に回転することができる。枢動可能シャフト１３３１は固定端１３３３１に嵌め込まれ、また、スチール薄片ばね１３３３は両者の回転に伴って回転するので、引き続いて、スチール薄片ばね１３３３には、第１枢接部品１３１を元の状態に戻すための弾性力が十分に蓄積される。
【００２１】
調整機構１３４は、相互に結合されている第１枢接部品１３１及び第２枢接部品１３２のうちいずれか一方に設けられており、第１枢接部品１３１と第２枢接部品１３２の相対角度を調整することができる。調整機構１３４は主動部材１３４１、被動部材１３４２及び連動部材１３４３を含むように構成されている。主動部材１３４１の一端は第２枢接部品１３２を貫通するように設けられ、被動部材１３４２の一端は第１枢接部品１３１と第２枢接部品１３２を貫通して両者の間の角度を固定させるように設けられている。主動部材１３４１及び被動部材１３４２の他端は、それぞれ連動部材１３４３の端面にあるスルーホール１３４３１及び１３４３２に嵌合固定されている。調整機構１３４を押し付けると、図８Ａ及び図８Ｂに示すように、主動部材１３４１は連動部材１３４３と連動して移動すると共に、被動部材１３４２を同方向に移動させ、それによって被動部材１３４２が第１枢接部品１３１及び第２枢接部品１３２から引き抜かれ、略Ｕ型ロッド１１と支持ロッド１２の相対角度を調整することができる。
【００２２】
主動部材１３４１は押しボタン蓋１３４１１、押しボタンロッド１３４１２、押しボタンロッドスリーブ１３４１３、及びばね１３４１５を備えており、押しボタンロッド１３４１２は外環状部１３４１２ａを備えている。押しボタンロッド１３４１２は、一端が押しボタンロッドスリーブ１３４１３のホール１３４１３ａを貫通するように設けられていると共に、連動部材１３４３のスルーホール１３４３１に嵌合固定されている。また、押しボタンロッド１３４１２の他端は、押しボタン蓋１３４１１に連結されている。押しボタンロッド１３４１２の一端は、ばね１３４１５を貫通してから、押しボタンロッドスリーブ１３４１３のホール１３４１３ａを貫通するように設けられており、外環状部１３４１２ａによりばね１３４１５をホール１３４１３ａ内に当り止めすると共に、連動部材１３４３の端面にあるスルーホール１３４３に嵌合固定されている。押しボタンロッドスリーブ１３４１３の小径の外周部１３４１３ｂは、第２枢接部品１３２の第２ホール部１３２２を貫通するように設けられており、また、大形の外周部１３４１３ｃの端面は第２ホール部１３２２の外縁に当接する。
【００２３】
被動部材１３４２はラッチロッド１３４２１とラッチロッドスリーブ１３４２２を備えており、ラッチロッド１３４２１の一端は、ラッチロッドスリーブ１３４２２のホール１３４２２ａを貫通すると共に、連動部材１３４３のスルーホール１３４３２に嵌合固定されている。（図７は、一つの連動部材１３４３を例示する。）ラッチロッド１３４２１の他端は、第２枢接部品１３２の第３ホール部１３２３、及び第１枢接部品１３１の傾斜角規制槽１３１３を貫通する。さらに、ラッチロッドスリーブ１３４２２は、第２枢接部品１３２の第３ホール部１３２３の端面に当接して固定されている。
【００２４】
図８Ａ及び図８Ｂを比較してわかるように、ラッチロッド１３４２１が引き出されると、傾斜角規制槽１３１３により、第１枢接部品１３１と第２枢接部品１３２との相対角度を制限することはなくなる。また、ラッチロッド１３４２１は、その軸方向において第１枢接部品１３１に当り止めされるため、第３ホール部１３２３に嵌り込むことはなく、傾斜角度に対する制限もなくなる。一般に、傾斜角規制槽１３１３の両端は、第１枢接部品１３１と第２枢接部品１３２との角度を１２５度乃至１４５度に設計するのが一般的である。例えば、本考案によれば、第１枢接部品１３１と第２枢接部品１３２との角度を１４５度にすることができる。従って、調整機構の押しボタン蓋１３４１１を押し付けると、主動部材１３４１の押しボタンロッド１３４１２が移動され、ばね１３４１５は外環状部１３４１２ａにより、押しボタンロッドスリーブ１３４１３の内部にあるホール１３４１３ａに当り止めされる。さらに、押しボタン蓋１３４１１を押し付けると、押しボタンロッド１３４１２、連動部材１３４３及びラッチロッド１３４２１が同方向にさらに移動し、ラッチロッド１３４２１を１枢接部品１３１の傾斜角規制槽１３１３、及び第２枢接部品１３２の第３ホール部１３２３からを引き抜くことができる。その際に、使用者は、力を略Ｕ型ロッド１１に加えることにより、略Ｕ型ロッド１１と支持ロッド１２との相対角度を調整することができる。さらに、枢動可能シャフト１３４２１は、その軸方向に第１枢接部品１３１によって当り止めされ、第１枢接部品１３１が第２枢接部品１３２の底端に当り止めされ、それによりそれらを固定することができる。
【００２５】
即ち、図８Ａ及び図８Ｂに示すように、背もたれ支持フレーム１０と座り部フレーム２０とは所定の傾斜角（図９Ａ及び図９Ｂを参照）を有する。押しボタン蓋１３４１１を押し付けると、ラッチロッド１３４２１は連動部材１３４３により連動され、ラッチロッド１３４２１が傾斜角規制槽１３１３及び第３ホール部１３２３から引き抜かれる。その後、力を背もたれ支持フレーム１０の略Ｕ型ロッド１１に加え、背もたれ支持フレーム１０と座り部フレーム２０との相対角度を調整することにより、背もたれ支持フレーム１０と座り部フレーム２０とを水平に倒すことができる。このような本考案に係る椅子は安全性の優れたものであるので、使用者がその椅子を使用する際に、単に押しボタン蓋１３４１１を押し付けるだけで、椅子を所望の形状、例えば、折り畳んだ状態又は平面状に拡げた状態にすることができる。そのため、本考案に係る背もたれ調整装置は、優れた安全性、良好な快適性、及び優良な箱詰め利便性を付与することが可能である。
【００２６】
本考案に係る第３実施形態について、図９Ａ及び図９Ｂを参照しつつ説明する。図９Ａ及び図９Ｂに示すように、主動部材１３４１１において、さらに調整取り手１３４４、及び連接部材１３４５を連動部材１３４３に設けることができる。背もたれ支持フレーム１０と座り部フレーム２０とを水平状態にする場合、押しボタン蓋１３４１１を押し付け、取り手１３４４をフリップし、連接部材１３４５を調整又は操作することにより、背もたれ支持フレーム１０と座り部フレーム２０との角度を調整することができる。背もたれ支持フレーム１０と座り部フレーム２０との角度を９０乃至１４５度の範囲内に調整すると、ラッチロッド１３４２１は第３ホール部１３２３に自動的に嵌り込むので、第１枢接部品１３１の活動可能な範囲が、ラッチロッド１３４２１の制約により傾斜角規制槽１３１３内に規制されるので、背もたれ支持フレーム１０と座り部フレーム２０との傾斜角度を９０乃至１４５度の範囲内に限定することができる（図４を参照）。使用者が本考案に係る椅子を水平状態にして収納する場合は、押しボタン蓋１３４１１を押し付けると共に、取り手１３４４をフリップすることにより、連接部材１３４５を調整又は操作することができる。さらに、背もたれ支持フレーム１０と座り部フレーム２０との傾斜角度を調整することにより、ラッチロッド１３４２１を第３ホール部１３２３から引き抜くことができる。それにより、第１枢接部品１３１はラッチロッド１３４２１により制限されなく、しかも、背もたれ支持フレーム１０と座り部フレーム２０とは、傾斜角度が９０乃至１８０度の範囲内で自在に活動できると共に、傾斜角度が１８０度である水平状態の下に本考案に係る椅子を收納することも可能になる。従って、本考案によれば、収納利便性を向上させる効果を発揮させることができる。
【００２７】
上記を総合すると、第１枢接部品と、第２枢接部品と、第１枢接部品及び第２枢接部品を連結する枢動連結機構、及び第１枢接部品と第２枢接部品との相対角度を調整する調整機構を備えて構成された本考案に係る背もたれ調整装置では、使用者の押し付けにより、背もたれ及び座り部との角度を調整変更する押しボタンが外部に配設されているので、使用者が誤動作を発生せず、正確に操作を進めることができる。また、使用者に対しては、背もたれ傾斜角の調整が非常に容易であり、椅子を折り畳み又は水平にすることも容易である。従って、本考案に係る背もたれ調整装置によると、優れた操作安全性、優良な角度調整操作容易性、良好な収納利便性などの優位な効果をもたらすと共に、椅子、座り部、運動用シート製品あるいは子供・年少者用安全座席などの各種のシート製品を製造する工業に応用することができる。
【００２８】
なお、本考案に係る上記の背もたれ調整装置を具備する椅子、座り部、運動用シート製品あるいは子供・年少者用安全座席などの各種のシート製品では、上述のように、優れた操作安全性、優良な角度調整操作容易性、良好な収納利便性などの各種の優位な効能を保持する以外に、安全、着座・横たわるときの快適性、及び箱詰め利便性を共立することができる。
【００２９】
上記に述べた内容は、本考案の好適な実施形態について説明したが、それらの実施形態で例示した構成と図面は、単に本考案を説明するための例示に過ぎず、本考案の権利保護の範囲がそれらの構成のみに狭義的に制限されるものではない。
【符号の説明】
【００３０】
１  背もたれ     
２  座り部
３  押しボタン
１０  背もたれ支持フレーム
１１  略Ｕ型ロッド
１２  支持ロッド
１３  背もたれ調整装置
１３１  第１枢接部品
１３１１  第１スルーホール
１３１２  第２スルーホール
１３１３  傾斜角規制槽
１３２  第２枢接部品
１３２１  第１ホール部
１３２２  第２ホール部
１３２３  第３ホール部
１３２４  第４ホール部
１３３  枢動連結機構
１３３ａ  ラッチ
１３３ｂ  ラッチボルト
１３３１  枢動可能シャフト
１３３１ａ  多角形構造
１３３１ｂ  挿入スロット
１３３２  第１スチールスリーブ
１３３３  スチール薄片ばね
１３３３１  固定端
１３３３２  当り止め端
１３３４  第２スチールスリーブ
１３３５  レバー
１３４  調整機構
１３４１  主動部材
１３４１１  押しボタン蓋
１３４１２  押しボタンロッド
１３４１２ａ  外環状部
１３４１３  押しボタンロッドスリーブ
１３４１３ａ  ホール
１３４１３ｂ  小径の外周部
１３４１３ｃ  大径の外周部
１３４１５  ばね
１３４２  被動部材
１３４２１  ラッチロッド
１３４２２  ラッチロッドスリーブ
１３４２２ａ  ホール
１３４３  連動部材
１３４３１  スルーホール
１３４３２  スルーホール
１３４４  調整取り手
１３４５  連接部材
２０  座り部フレーム
２１  略Ｕ型支持フレーム
２２  略Ｕ型支持フレーム
２３  支持台座
【図１Ａ】
0003203669.tif 000003
【図１Ｂ】
0003203669.tif 000004
【図２Ａ】
0003203669.tif 000005
【図２Ｂ】
0003203669.tif 000006
【図３】
0003203669.tif 000007
【図４】
0003203669.tif 000008
【図５Ａ】
0003203669.tif 000009
【図５Ｂ】
0003203669.tif 000010
【図６】
0003203669.tif 000011
【図７】
0003203669.tif 000012
【図８Ａ】
0003203669.tif 000013
【図８Ｂ】
0003203669.tif 000014
【図９Ａ】
0003203669.tif 000015
【図９Ｂ】
0003203669.tif 000016
【手続補正書】
【提出日】平成27年5月11日(2015.5.11)
【手続補正１】
【補正対象書類名】実用新案登録請求の範囲
【補正対象項目名】請求項１
【補正方法】変更
【補正の内容】
【請求項１】
第１枢接部品、第２枢接部品、枢動連結機構及び調整機構を備える椅子背もたれ調整装置であって、
前記枢動連結機構は、前記第１枢接部品及び前記第２枢接部品を貫通するラッチを備え、前記第１枢接部品及び前記第２枢接部品を回転自在に連結し、
前記調整機構は、前記第１枢接部品及び前記第２枢接部品を貫通する被動部材を備え、前記被動部材が前記第１枢接部品及び前記第２枢接部品を貫通することによって前記第１枢接部品及び前記第２枢接部品の相対角度を固定し、前記前記被動部材が前記第１枢接部品及び前記第２枢接部品から引き抜かれることによって前記第１枢接部品と前記第２枢接部品との相対角度の調整を可能とする、ことを特徴とする背もたれ調整装置。
【手続補正２】
【補正対象書類名】実用新案登録請求の範囲
【補正対象項目名】請求項１４
【補正方法】変更
【補正の内容】
【請求項１４】
背もたれ支持フレームと、座り部フレームとを備える椅子であって、
前記背もたれ支持フレームは、略Ｕ型ロッド、二つの支持ロッド、及び請求項１乃至請求項１３のいずれか１項に記載の背もたれ調整装置を備えており、前記背もたれ調整装置は、前記略Ｕ型ロッドと前記支持ロッドとを連結すると共に、前記略Ｕ型ロッドと前記支持ロッドとの角度を調整することができ、
前記座り部フレームは、二つの略Ｕ型支持フレームを相互に対向するように固定接合されて構成され、前記略Ｕ型支持フレームの両端にはそれぞれ、前記支持ロッドを固接する支持台座が設けられている、ことを特徴とする椅子。